(57)【要約】【課題】  ドライバーが操作の煩雑さを感じることなく、車両後進時における車両の後方視界をより確実に確保することができる車両後方照明装置を提供する。【解決手段】  車両後進時に車両後方を照らすための車両後方照明装置において、車両後方を照らす後方照明部３の照射光軸４の方向を、操舵ハンドル２４０の操舵方向に応じて変更駆動する駆動機構３０を備える。【選択図】  図２
2008174025.tif 000002
【特許請求の範囲】
【請求項１】
車両後方を照らす後方照明部と、
前記後方照明部の点灯制御を行なう点灯制御手段と、
前記後方照明部を、該後方照明部の照射光軸方向を変更駆動可能に支持する後方照明部支持駆動手段と、
外部からの照射光軸方向指示情報に基づいて、前記後方照明部の照射光軸方向を変更駆動する照射方向変更駆動制御手段と、
を備えることを特徴とする車両後方照明装置。
【請求項２】
前記照射方向変更駆動制御手段は、運転席から操作可能に設けられた照射方向変更操作部からの操作入力情報を前記照射光軸方向指示情報として取得する請求項１記載の車両後方照明装置。
【請求項３】
前記照射方向変更操作部は左右変更操作部を有し、
前記照射方向変更駆動制御手段は、前記左右変更操作部からの操作入力情報に基づいて前記後方照明部の照射光軸角度を左右に変更駆動する左右方向駆動制御手段を備える請求項２記載の車両後方照明装置。
【請求項４】
前記左右方向駆動制御手段は、前記後方照明部の照射光軸角度を予め定められた角度範囲内で連続的又は複数段階に変更するものである請求項３記載の車両後方照明装置。
【請求項５】
前記左右変更操作部が操舵ハンドルである請求項４記載の車両後方照明装置。
【請求項６】
前記左右方向駆動制御手段は、前記操舵ハンドルが右方向に操作されるに伴い前記後方照明部の照射光軸角度を右方向に変更駆動し、同じく左方向に操作されるに伴い前記後方照明部の照射光軸角度を左方向に変更駆動するものである請求項３記載の車両後方照明装置。
【請求項７】
前記左右変更操作部が操舵ハンドルとは別に設けられている請求項３又は請求項４記載の車両後方照明装置。
【請求項８】
前記照射方向変更操作部は上下変更操作部を有し、
前記照射方向変更駆動制御手段は、前記上下変更操作部からの操作入力情報に基づいて前記後方照明部の照射光軸角度を上下に変更駆動する上下方向駆動制御手段を備える請求項２ないし請求項７記載の車両後方照明装置。
【請求項９】
前記上下方向駆動制御手段は、前記後方照明部が車両後方を斜め下向きに照らす下方照射角度位置と、該下方照射角度位置よりも上向きに照らす上方照射角度位置との間で、該後方照明部の照射光軸角度を択一的に変更駆動するものである請求項８記載の車両後方照明装置。
【請求項１０】
前記上下変更操作部がハザードランプ点灯スイッチに兼用され、
前記上下方向駆動制御手段は、前記ハザードランプ点灯スイッチがＯＮの場合に前記後方照明部を前記上方照射角度位置とし、前記ハザードランプ点灯スイッチがＯＦＦの場合に前記後方照明部を前記下方照射角度位置とするものである請求項９記載の車両後方照明装置。
【請求項１１】
前記上下変更操作部がシフトレバーに兼用され、
前記上下方向駆動制御手段は、前記シフトレバーがバックポジションに位置する場合に前記後方照明部を前記上方照射角度位置とするものである請求項９又は請求項１０記載の車両後方照明装置。
【請求項１２】
前記上下方向駆動制御手段は、ハザードランプ点灯スイッチがＯＮであって、かつ前記シフトレバーがバックポジションに位置する場合に、前記後方照明部を前記上方照射角度位置とするものである請求項１１記載の車両後方照明装置。
【請求項１３】
前記後方照明部が後退灯に兼用されている請求項１ないし請求項１２のいずれか１項に記載の車両後方照明装置。
【請求項１４】
前記後方照明部が後退灯とは別に設けられた補助照明部である請求項１ないし請求項１２のいずれか１項に記載の車両後方照明装置。
【請求項１５】
前記点灯制御手段は、シフトレバーがバックポジションに位置し、かつ運転席から操作可能に設けられた点灯操作部に前記後方照明部の点灯操作がなされた場合に、該後方照明部を点灯状態とするものである請求項１４記載の車両後方照明装置。
【請求項１６】
前記点灯操作部がヘッドライト点灯スイッチに兼用されており、
前記点灯制御手段は、前記ヘッドライト点灯スイッチがＯＮで、かつ前記シフトレバーがバックポジションに位置する場合に、前記後方照明部を点灯状態とし、前記ヘッドライト点灯スイッチがＯＦＦ又は前記シフトレバーがドライブポジションに位置する場合には、前記後方照明部を非点灯状態とするものである請求項１５記載の車両後方照明装置。
【請求項１７】
前記点灯操作部がハザードスイッチに兼用されており、
前記点灯制御手段は、前記ハザードランプ点灯スイッチがＯＮで、かつ前記シフトレバーがバックポジションに位置する場合に、前記後方照明部を点灯状態とし、前記ハザードランプ点灯スイッチがＯＦＦ又は前記シフトレバーがドライブポジションに位置する場合には、前記後方照明部を非点灯状態とするものである請求項１４ないし請求項１６のいずれか１項に記載の車両後方照明装置。
【請求項１８】
前記点灯制御手段は、シフトレバーがバックポジションに位置する場合に前記後方照明部を点灯状態とし、ドライブポジションに位置する場合に前記後方照明部を非点灯状態とするものである請求項１３又は請求項１４に記載の車両後方照明装置。
【発明の詳細な説明】
【技術分野】
【０００１】
本発明は、車両後方照明装置に関する。
【背景技術】
【０００２】
【特許文献１】特開平１１−１２３９８４号公報
【０００３】
従来、車両を後進させる際に、いわゆる後退灯といわれる車両後方の照明部を備える車両が存在する。これにより、自車両の後進を後方車両に認識させることができる。一方で後退灯は、暗所での後進時に後方の明るさを確保する照明部としても機能する（特許文献１）。
【発明の開示】
【発明が解決しようとする課題】
【０００４】
ところが、従来の後退灯は、後進時における後方照明機能を前提として設けられているものではないため、後方視界を十分に確保できるような明るさではなかった。また、後退灯は、車両後方の斜め下方向を照らすように設けられているため、後進の際、状況によってはドライバーが照らして欲しいところに光が届かないこともあった。従来の車両の場合、こうした状況となるとドライバーはストップランプ等を意図的に点灯させて後方を明るくするものであるが、こうした操作はドライバーにとって煩わしいものである。
【０００５】
本発明の課題は、ドライバーが操作の煩雑さを感じることなく、車両後進時における車両の後方視界をより確実に確保することができる車両後方照明装置を提供することにある。
【課題を解決するための手段及び発明の効果】
【０００６】
上記課題を解決するために、本発明の車両後方照明装置は、
車両後方を照らす後方照明部と、
後方照明部の点灯制御を行なう点灯制御手段と、
後方照明部を、該後方照明部の照射光軸方向を変更駆動可能に支持する後方照明部支持駆動手段と、
外部からの照射光軸方向指示情報に基づいて、後方照明部の照射光軸方向を変更駆動する照射方向変更駆動制御手段と、
を備えることを特徴とする車両後方照明装置。
【０００７】
上記本発明の構成によると、後方照明部の照射光軸方向が変更可能に構成されているので、後方照明部の照射方向を車両後進時の状況に応じて適切な方向に変更することができ、車両の後方視界をより確実に確保することができる。
【０００８】
照射方向変更駆動制御手段は、運転席から操作可能に設けられた照射方向変更操作部からの操作入力情報を照射光軸方向指示情報として取得することができる。この構成によると、後方照明部の照射方向をドライバーの意思で変更することができるので、ドライバーが必要とする車両後方位置を適切に照らすことができる。
【０００９】
照射方向変更操作部は左右変更操作部を有して構成することができる。そして、このときの照射方向変更駆動制御手段は、左右変更操作部からの操作入力情報に基づいて後方照明部の照射光軸角度を左右に変更駆動する左右方向駆動制御手段を備えて構成することができる。この構成によると、後方照明部の照射方向をドライバーの意思で左右に変更することができる。
【００１０】
さらに、左右方向駆動制御手段は、後方照明部の照射光軸角度を予め定められた角度範囲内で連続的又は複数段階に変更するものとできる。これにより、後方照明部の左右方向の照射位置をドライバーが細かく指定することができる。
【００１１】
この場合、照射方向変更操作部を操舵ハンドルとすることができる。そして、このときの左右方向駆動制御手段は、操舵ハンドルが右方向に操作されるに伴い後方照明部の照射光軸角度を右方向に変更駆動し、同じく左方向に操作されるに伴い後方照明部の照射光軸角度を左方向に変更駆動するものとできる。この構成によると、車両後進時のハンドル操作に応じて後方照明部の照射方向が左右に変更されるので、車両の進行方向を後方照明部により照らすことができる。これにより、ハンドル操作を伴う車両の後進時であっても、その進行方向の視界を確実に確保することができる。
【００１２】
他方、左右変更操作部を操舵ハンドルとは別に設けることもできる。この構成によると、ハンドル操作とは無関係に、ユーザー所望の方向に後方照明部の照射方向を変更することができる。特に、操舵ハンドルとの連動変更を望まないドライバーにとって好適である。
【００１３】
また、照射方向変更操作部は上下変更操作部を有して構成することができる。このとき照射方向変更駆動制御手段は、上下変更操作部からの操作入力情報に基づいて後方照明部の照射光軸角度を上下に変更駆動する上下方向駆動制御手段を備えて構成することができる。この構成によると、後方照明部の照射方向がドライバーの操作により上下に変更できるので、車両の後進時に、後方照明部の照射方向を上向きにすることで広範囲を照らすことが可能となり、より広い後方視界を得ることができる。特に、後方照明部が左右にも駆動可能な場合はより一層広い後方視界が得られる。
【００１４】
上下方向駆動制御手段は、後方照明部が車両後方を斜め下向きに照らす下方照射角度位置と、該下方照射角度位置よりも上向きに照らす上方照射角度位置との間で、該後方照明部の照射光軸角度を択一的に変更駆動するものとできる。この構成によると、上方照射角度位置と下方照射角度位置とのシンプルな二位置間の駆動が可能となる。例えば、下方照射角度位置を、後方車両があまりまぶしく感じず、かつ前方車両の後進を認識するに十分な明るさとなるように車両後方を斜め下向きに照らす位置とし、上方照射角度位置を、後方をより広範囲に照らすことができる位置とすることができる。これにより、ドライバーが用途に応じて上下の二位置を使い分けることができる。
【００１５】
この場合、上下変更操作部をハザードスイッチに兼用されることができる。ただし、このときの上下方向駆動制御手段は、ハザードランプ点灯スイッチがＯＮの場合に後方照明部を上方照射角度位置とし、ハザードランプ点灯スイッチがＯＦＦの場合に後方照明部を下方照射角度位置とするものとして構成する。後方照明部をハザードランプのＯＮ・ＯＦＦで上下駆動させることで、専用のモード選択操作部を別途設けるよりもコストを抑えることができる。一方で、ハザードランプの点灯は車両の後進に特に影響を与えるものではなく、逆に、車両後進時にハザードランプが点灯状態となっていれば、後方車両により認識され易くなるという利点があるので、他の操作部に兼用させるよりも効果的である。
【００１６】
また、上下変更操作部をシフトレバーに兼用させることもできる。ただし、このときの上下方向駆動制御手段は、シフトレバーがバックポジションに位置する場合に後方照明部を上方照射角度位置とするものとして構成する。シフトレバーをバックポジションとする操作は、車両後進の際に必須となるから、これを後方照明部の上下駆動のトリガーとすることで、後方照明部が無駄に駆動させることがなくなる。
【００１７】
また、上下方向駆動制御手段は、ハザードランプ点灯スイッチがＯＮであって、かつシフトレバーがバックポジションに位置する場合に、後方照明部を上方照射角度位置とするものともできる。これにより、上記した上下変更操作部をハザードスイッチに兼用させる利点と、上下変更操作部をシフトレバーに兼用させる利点の双方を同時に得ることができる。
【００１８】
後方照明部は、後退灯に兼用させることができる。この構成によると、車両に既存の後退灯を用いることで、上下左右に駆動する後方照明部を低コストで実現することができる。
【００１９】
他方、後方照明部を、後退灯とは別に設けられた補助照明部として設けることもできる。この構成によると、車両に既存の後退灯だけでは光量が不足する場合には、補助照明部を追加して設ける、さらには後退灯よりも出力光量が大となる補助照明部を追加して設けることにより、後進時により広く明るい後方視界を確保することができる。
【００２０】
補助照明部を設ける場合、点灯制御手段は、シフトレバーがバックポジションに位置し、かつ運転席から操作可能に設けられた点灯操作部に後方照明部の点灯操作がなされたときに、該後方照明部を点灯状態とするように構成することができる。この構成によると、ドライバーの要求に応じて補助照明部の点灯／非点灯を切り替えることができる。
【００２１】
この場合、点灯操作部はヘッドライト点灯スイッチに兼用させることができる。そして、このときの点灯制御手段は、ヘッドライト点灯スイッチがＯＮで、かつシフトレバーがバックポジションに位置する場合に、後方照明部を点灯状態とし、ヘッドライト点灯スイッチがＯＦＦ又はシフトレバーがドライブポジションに位置する場合には、後方照明部を非点灯状態とするように構成できる。後退灯のみでは後方の明るさが不足する状況は、主にヘッドランプの点灯が必要となる夜間等の暗所においておこりやすい。上記構成によると、暗所において車両を後進させる際には、ヘッドライトは既に点灯状態にあるので、ドライバーは後方照明部の点灯操作を特に意識しなくとも、該後方照明部を点灯させることができ、ドライバーの操作負担を軽減できる。
【００２２】
また、点灯操作部はハザードスイッチに兼用させることもできる。このときの点灯制御手段は、ハザードランプ点灯スイッチがＯＮで、かつシフトレバーがバックポジションに位置する場合に、後方照明部を点灯状態とし、ハザードランプ点灯スイッチがＯＦＦ又はシフトレバーがドライブポジションに位置する場合には、後方照明部を非点灯状態とするように構成できる。この構成によると、補助照明部の点灯・非点灯は、ドライバーのハザードスイッチの操作により任意に切り替えることができる。例えば、ヘッドライトの点灯が不要な昼間の車庫入れ等において、車両後方のみ光量が不足する場合に、ドライバーの判断で補助照明部を点灯させることができる。
【００２３】
点灯制御手段は、シフトレバーがバックポジションに位置する場合に後方照明部を点灯状態とし、ドライブポジションに位置する場合に後方照明部を非点灯状態とするものとして構成できる。この構成によると、車両の後進とは無関係な状況において後方照明部が点灯することを防止できる。
【発明を実施するための最良の形態】
【００２４】
以下、本発明の実施の形態を、図面を用いて説明する。
図１は、本発明の車両後方照明装置を搭載した車両において、後方照明部の配置例を示す図である。図１の車両１には、車両後端位置に後方照明部３が設けられている。本実施形態における後方照明部３は、車両後端位置の左右に設けられた一対の後退灯３Ｒ，３Ｌであり、それぞれが照射光軸４Ｒ，４Ｌ方向を照射するとともに、その照射光軸４Ｒ，４Ｌが可変可能に構成されている。また、車両前端位置には一対のヘッドライト２Ｒ，２Ｌが設けられている。
【００２５】
図２は、車両１に搭載される車両後方照明装置１０の構成を示すブロック図である。なお、一対の後退灯３Ｒ，３Ｌは、双方が同じ点灯状態となるように互いに同じ構成を有するものであるから、図２においては、その一方を代表する形で図示し、他方の図示を省略している。図２に示す車両後方照明装置１０は、ボデーＥＣＵ２００と、バックドアの制御を司るバックドアＥＣＵ１００とが、車内ＬＡＮ（Local  Area  Network）等の通信線４００によりネットワーク接続されている。
【００２６】
ボデーＥＣＵ２００は、ＣＰＵ２０１、ＲＡＭ２０２、ＲＯＭ２０３、入出力部（図中のＩ／Ｏ）２０５及び外部メモリ（例えばＥＥＰＲＯＭ）２０６が内部バス２０４により接続されたマイコンハードウェアとして構成されている。入出力部２０５にはヘッドライトの点灯・非点灯を切り替えるヘッドライトスイッチ２１１、シフトレバー２２０の位置を検出するシフトポジションセンサ２１２、ハザードランプの点灯・非点灯を切り替えるハザードスイッチ２１３、車両１の操舵ハンドル２４０のハンドル操作に伴い回転するハンドル軸の回転角度を検出する操舵角センサ２１４が接続されている。内部バス２０４と通信線４００との間にはシリアルインターフェース（図中のＩ／Ｆ）２０７が接続され、シリアルインターフェース２０７を介して通信線４００に接続される。ボデーＥＣＵ２００は、入出力部２０５に接続された各スイッチ２１１，２１２，２１３から入力される操作信号、及び操舵角センサ２１４から入力される検出結果信号を、通信線４００を介してバックドアＥＣＵ１００に送信する。
【００２７】
バックドアＥＣＵ１００は、ＣＰＵ１０１、ＲＡＭ１０２、ＲＯＭ１０３、入出力部（図中のＩ／Ｏ）１０５及び外部メモリ（例えばＥＥＰＲＯＭ）１０６が内部バス１０４により接続されたマイコンハードウェアとして構成されている。内部バス１０４と通信線４００との間にはシリアルインターフェース（図中のＩ／Ｆ）１０７が接続され、シリアルインターフェース１０７を介して通信線４００に接続される。バックドアＥＣＵ１００では、ＣＰＵ１０１がＲＯＭ１０３に記憶された後方照明制御プログラム１０３ａを実行しており、後退灯３の点灯制御及び該後退灯３の照射光軸４の方向を変更駆動する駆動制御を行っている。つまり、バックドアＥＣＵ１００は、後方照明制御プログラム１０３ａが実行されることで、点灯制御手段及び照射方向変更駆動制御手段（左右方向駆動制御手段、上下方向駆動制御手段）として機能する。
【００２８】
入出力部１０５には、後方照明部支持駆動機構（本発明の後方照明部支持駆動手段：以下、駆動機構という）３０を駆動する駆動制御回路３１と、後退灯３を点灯する点灯制御回路３３とが接続されている。駆動制御回路３１は、バックドアＥＣＵ１００からの駆動指令信号に基づいて駆動機構３０のモータ３２を駆動し、点灯制御回路３３は、バックドアＥＣＵ１００からの点灯指令信号に基づいて後退灯３を点灯する。
【００２９】
図３は、駆動機構３０の概略図である。本実施形態の後退灯３は、モータ３２（３２１，３２２）によって上下及び左右に回転可能に構成されている。後退灯３の上下方向の回転駆動は、モータ３２１と、該モータ３２１の出力軸３２３に固定される第一ギア３２４と、該第一ギア３２４に噛み合う第二ギア３２５と、該第二ギア３２５と後退灯３を収容する筐体３４０とを一体に連結する連結部３４１とにより行なわれる。モータ３２１の回転が第一ギア３２４を介して第二ギア３２５に伝達され、第二ギア３２５の回転に応じて筐体３４０全体が上下に回転駆動することで、筐体３４０に組み付けられた後退灯３が上下に回転駆動する。具体的には、図３（ａ）に示す上方照射角度位置と図３（ｂ）に示す下方照射角度位置との間で択一的に変更駆動するように構成されている。
【００３０】
他方、後退灯３の左右方向の回転駆動は、モータ３２２と、該モータ３２２の出力軸３２６に固定される第一ギア３２７と、該第一ギア３２７に噛み合う第二ギア３２８と、該第二ギア３２８に固定されて後退灯３と一体固定された回転軸３２９とにより行なわれる。モータ３２２の回転が第一ギア３２７を介して第二ギア３２８に伝達され、第二ギア３２８の回転が回転軸３２９を介して後退灯３を左右に回転駆動する。なお、これらの機構３２２，３２６，３２７，３２８，３２９，３は、いずれも筐体３４０内に収容されており、後退灯３の上下方向の回転駆動が行なわれた場合には、筐体３４０に収容された全機構が上下方向に移動する。
【００３１】
次に、バックドアＥＣＵ１００のＣＰＵ１０１が実行する後方照明制御プログラム１０３ａについて、図４のフローチャートを用いて説明する。なお、後退灯３は初期状態において車両後方を斜め下向きに照らす基準位置（下方照射角度位置）とされている。
【００３２】
Ｓ１では、まず、シフトポジションがバック位置にあるか否かを判定する。具体的には、バックドアＥＣＵ１００がボデーＥＣＵ２００からシフトポジションセンサ２１２の検出情報を取得して、取得した検出情報に基づいて判定を行なう。シフトポジションがバック位置になければＳ９に進み、後退灯３を基準位置に保持した状態のまま本プログラム１０３ａを終了する。なお、後退灯３の基準位置は、照射光軸方向が後方のやや下方向きとなる位置である。他方、シフトポジションがバック位置にあればＳ２に進む。
【００３３】
Ｓ２では、後退灯３（３Ｒ，３Ｌ）を点灯させる。具体的には、バックドアＥＣＵ１００が点灯制御回路３３に点灯指令信号を出力し、これを受けた点灯制御回路３３が後退灯３を点灯させる。
【００３４】
続いてＳ３及びＳ４では、ヘッドライトスイッチ２１１及びハザードスイッチ２１３が点灯しているか否かを判定する。具体的には、バックドアＥＣＵ１００がボデーＥＣＵ２００からヘッドライトスイッチ２１１及びハザードスイッチ２１３の操作入力情報を取得して、取得した操作入力情報（照射光軸方向指示情報）に基づいて判定を行なう。ヘッドライトスイッチ２１１及びハザードスイッチ２１３のいずれかが点灯操作されていなければＳ９に進み、後退灯３を基準位置に保持した点灯状態のまま本プログラム１０３ａを終了する。他方、ヘッドライトスイッチ２１１及びハザードスイッチ２１３の双方が点灯操作されていればＳ５に進む。
【００３５】
Ｓ５では、後退灯３（３Ｒ，３Ｌ）を基準位置から上方に回転駆動させて、上方照射角度位置とする。具体的には、バックドアＥＣＵ１００が駆動制御回路３１に駆動指令信号を出力し、これを受けた駆動制御回路３１がモータ３２１を駆動して後退灯３を上方に回転駆動させる。
【００３６】
続いてＳ６では、操舵ハンドル４２０が右方向（右回転）に操作されたか否かを判定する。具体的には、操舵角センサ２１４の検出情報を取得して、取得した検出情報に基づいて判定を行なう。操舵ハンドルが右方向に操作された場合にはＳ７に進み、操舵角センサ２１４により検出される操作量（照射光軸方向指示情報）に応じて後退灯３を車両右方向に回転駆動させる。具体的には、バックドアＥＣＵ１００が、操舵ハンドルの右回転操作量に応じた後退灯３の駆動指令信号を、駆動制御回路３１に出力し、これを受けた駆動制御回路３１はその駆動指令信号に基づいてモータ３２１を駆動して、後退灯３を車両右側に回転駆動させる。Ｓ７が終了すると、本プログラムは終了する。他方、操舵ハンドル４２０が右方向に操作されていない場合はＳ８に進む。
【００３７】
Ｓ８では、操舵ハンドル４２０が左方向（左回転）に操作されたか否かを判定する。具体的には、上記と同様、操舵角センサ２１４の検出情報を取得して、取得した検出情報に基づいて判定を行なう。操舵ハンドル４２０が左方向に操作された場合にはＳ９に進み、操舵角センサ２１４により検出される操作量（照射光軸方向指示情報）に応じて後退灯３を車両左方向に回転駆動させる。具体的には、バックドアＥＣＵ１００が、操舵ハンドル４２０の左回転操作量に応じた後退灯３の駆動指令信号を、駆動制御回路３１に出力し、これを受けた駆動制御回路３１はその駆動指令信号に基づいてモータ３２２を駆動して、後退灯３を車両左側に回転駆動させる。Ｓ９が終了すると、本プログラムは終了する。
【００３８】
他方、Ｓ６及びＳ８にて、操舵ハンドル４２０に操作がなされなかった場合は、Ｓ９に進み、後退灯３を基準位置に保持した点灯状態のまま本プログラム１０３ａを終了する。
【００３９】
このように、本実施形態においては、後方照明部をなす後退灯３（３Ｒ，３Ｌ）を上下左右に駆動可能に構成されており、ドライバーの操作により、後退灯３の照射方向を車両後進時の状況に応じて適切な方向に変更できるので、車両の後方視界をより明るくすることができる。
【００４０】
なお、上記本実施形態においては、後方照明部３が、シフトレバー２１２がバックポジションに位置する場合に後方照明部３を点灯状態とし、ドライブポジションを含むバックポジションを除く位置にある場合に後方照明部３を非点灯状態となるように構成されている。つまり、後方照明部３を点灯させるための点灯操作部がシフトレバー２１２に兼用されている。
【００４１】
また、後方照明部をなす後退灯３（３Ｒ，３Ｌ）の上下駆動は、車両後方を斜め下向きに照らす下方照射角度位置と、該下方照射角度位置よりも上向きに照らす上方照射角度位置との間で、該後方照明部３の照射光軸４の角度を択一的に変更するものであり、シフトレバー２２０がバックポジションに位置し、かつヘッドライトスイッチ２１１がＯＮであり、かつハザードスイッチ２１３がＯＮである場合に、後方照明部３が下方照射角度位置から上方照射角度位置となる。つまり、後方照明部３を下方照射角度位置から上方照射角度位置に駆動するための上下変更操作部が、シフトレバー２２０、ヘッドライトスイッチ２１１、及びハザードスイッチ２１３に兼用されている。
【００４２】
そして、後方照明部をなす後退灯３（３Ｒ，３Ｌ）の左右駆動は、シフトレバー２２０がバックポジションに位置し、かつヘッドライトスイッチ２１１がＯＮであり、かつハザードスイッチ２１３がＯＮであることを条件に駆動が許可される。具体的には、後方照明部３の照射光軸角度を予め定められた角度範囲内で連続的又は複数段階に変更するように構成されており、操舵ハンドル２４０が右方向に操作されるに伴いその操作量に応じて後方照明部３の照射光軸４を右方向に変更駆動し、同じく左方向に操作されるに伴いその操作量に応じて後方照明部３の照射光軸４を左方向に変更駆動する。つまり、後方照明部３を左右に駆動するための左右変更操作部が操舵ハンドル２４０に兼用されている。
【００４３】
本実施形態においては、後方照明部をなす後退灯３（３Ｒ，３Ｌ）の上下駆動及び左右駆動は、ヘッドライトスイッチ２１１及びハザードスイッチ２１３へのユーザー操作により行なわれるから、ユーザーが必要なときにこれらを操作して駆動可能状態とすることができる。また、こうしたユーザー操作は、ユーザーが車両後方の光量が少ないと感じるときになされるから、本実施形態においては、後方照明部３を駆動可能状態とするユーザー操作がなされると直ちに車両後方が広範囲に照射されように後方照明部３が上方照射角度位置となるように構成されている。そして、後方照明部３が上方照射角度位置となると、操舵ハンドル４４０の操作量に応じた後方照明部３の左右駆動が開始され、後進方向の視界をより明るく確保することができる。
【００４４】
以下では、上記実施形態を第一実施形態とし、それとは異なる実施形態について説明を行なう。なお、上記第一実施形態と同一の構成を有するものについては、同一の符号を付することでその説明を省略する。
【００４５】
図５は、第二実施形態における後方照明制御プログラム１０３ａの流れを示すフローチャートである。第二実施形態では、後方照明部３が上記第一実施形態と同様に後退灯３Ｒ，３Ｌとされている。Ｓ１１，Ｓ１２は上記第一実施形態のＳ１、Ｓ２と同じ内容であるが、後退灯３が点灯すると、該後退灯３を基準位置（下方照射角度位置）としたまま、Ｓ１３〜Ｓ１７にて操舵ハンドル２４０の操作に応じた後退灯３の左右駆動が開始するように構成されている。つまり、この構成では、基準位置（下方照射角度位置）において後退灯３が左右駆動可能に構成とされるとともに、その左右駆動が、シフトレバー２２０がバックポジションに位置することを条件に許可されるよう構成されている。
【００４６】
図６は、第三実施形態における後方照明制御プログラム１０３ａの流れを示すフローチャートである。第三実施形態では、後方照明部３が上記第一実施形態と同様に後退灯３Ｒ，３Ｌとされている。Ｓ２１，Ｓ２２は上記第一実施形態のＳ１、Ｓ２と同じであるが、Ｓ２３において、ハザードスイッチ２１３がＯＮとなると、後退灯３が下方照射角度位置から上方照射角度位置となる（Ｓ２４）。つまり、後退灯３を下方照射角度位置から上方照射角度位置に駆動するための上下変更操作部が、シフトレバー２２０及びハザードスイッチ２１３に兼用されている。そして、後退灯３の左右駆動は、シフトレバー２２０がバックポジションに位置し、かつハザードスイッチ２１３がＯＮであることを条件に駆動が許可される。これにより、ヘッドライトを非点灯のまま後退灯３を駆動することができる。昼間の車庫入れ時等、車両後方のみが暗いような状況において、ヘッドライトを無駄に点灯することなく後退灯３の駆動が可能となる。
【００４７】
図７は、第四実施形態における後方照明制御プログラム１０３ａの流れを示すフローチャートである。第四実施形態では、後方照明部３が上記第一実施形態と同様に後退灯３Ｒ，３Ｌとされている。そして、図２のマニュアル駆動スイッチ２１６が運転席から操作可能に設けられている。ここでのマニュアル駆動スイッチ２１６は、後退灯３の上下左右駆動に対応する上下左右の操作ボタンを備える。図７のＳ３１，Ｓ３２は上記第一実施形態のＳ１、Ｓ２と同じであるが、後退灯３が点灯するとマニュアル駆動スイッチ２１６による後退灯３の上下左右駆動が許可され、マニュアル駆動スイッチ２１６の上下左右の操作ボタンへの操作に基づいて後退灯３が駆動する。
【００４８】
なお、上記第一〜第四実施形態において、後方照明部３を、図８に示すように、後退灯３Ｒ，３Ｌとは別に設けられた補助照明部６とすることもできる。これにより、後退灯３Ｒ，３Ｌと補助照明部６との双方が車両後方を照らす構成となる。なお、補助照明部６は、図８（ｃ）に示すように、車両後端部の下面に取り付けることができ、周囲車両のドライバーから視認されない格納位置に駆動可能に構成することもできる。以下で述べる実施形態は、後方照明部３が図８の補助照明部６として構成された実施形態である。
【００４９】
図９は、第五実施形態における後方照明制御プログラム１０３ａの流れを示すフローチャートである。第五実施形態では、後方照明部３は図８の補助照明部６であるから、シフトレバー２２０がバックポジションに位置しても点灯する必要は無い。図９においては、Ｓ４１〜Ｓ４３に示すように、後方照明部３は、シフトレバー２１２がバックポジションに位置し、かつヘッドライトスイッチ２１１がＯＮである場合に点灯状態となる。つまり、後方照明部３を点灯させるための点灯操作部がシフトレバー２１２及びヘッドライトスイッチ２１１に兼用されており、車両後進時のシフトレバー２１２のバックポジションを当然と考えれば、見かけ上は後方照明部３がヘッドライトと連動して点灯するような構成となる。そして、Ｓ４４において、ハザードスイッチ２１３がＯＮとなると、補助照明部６が下方照射角度位置から上方照射角度位置となる（Ｓ４５）。つまり、補助照明部６を下方照射角度位置から上方照射角度位置に駆動するための上下変更操作部が、ハザードスイッチ２１３に兼用されている。そして、補助照明部６の左右駆動は、シフトレバー２２０がバックポジションに位置し、かつヘッドライトスイッチ２１１がＯＮであり、かつハザードスイッチ２１３がＯＮであることを条件に駆動が許可される。これにより、補助照明部６の点灯は、ヘッドライトの点灯するユーザー操作によりなされるので、補助照明部６の点灯・非点灯をユーザーが任意に行なうことが可能となる。
【００５０】
図１０は、第六実施形態における後方照明制御プログラム１０３ａの流れを示すフローチャートである。この第六実施形態でも、後方照明部３は図８の補助照明部６であるから、シフトレバー２２０がバックポジションに位置しても点灯する必要は無い。図１０においては、図９のＳ４２とＳ４４を入れ替えた流れになっており、点灯操作部がシフトレバー２１２及びハザードスイッチ２１３に兼用され、上下変更操作部が、ヘッドライトスイッチ２１３に兼用されている。そして、補助照明部６の左右駆動は、図９と同じく、シフトレバー２２０がバックポジションに位置し、かつヘッドライトスイッチ２１１がＯＮであり、かつハザードスイッチ２１３がＯＮであることを条件に駆動が許可される。これにより、補助照明部６の点灯は、ハザードを点灯するユーザー操作によりなされるので、補助照明部６の点灯・非点灯をユーザーが任意に行なうことが可能となる。
【００５１】
なお、後方照明部３が補助照明部６である場合において、シフトレバーとともに点灯操作部となる操作部は、上記ヘッドライトスイッチ２１１、ハザードスイッチ２１３の他の操作部とすることもできる。また、補助照明部６及び後退灯３Ｒ，３Ｌの上下駆動及び左右駆動の駆動条件を与える駆動許可操作部は、上記した実施形態のように、シフトレバー２２０（バックポジションで許可）や、ヘッドライトスイッチ２１１（ＯＮで許可）、ハザードスイッチ２１３（ＯＮで許可）の他の操作部とすることもできる。また、補助照明部６及び後退灯３Ｒ，３Ｌに対し実際に駆動指示を与える照射方向変更操作部（左右変更操作部及び上下変更操作部）も、操舵ハンドルや、シフトレバー２２０（バックポジションで上駆動）、ヘッドライトスイッチ２１１（ＯＮで上駆動）、ハザードスイッチ２１３（ＯＮで上駆動）の他の操作部とすることもできる。例えば、左右変更操作部としてドアミラーの開閉スイッチを用いることも可能である。
【００５２】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【００５３】
例えば、車両の後方の側面部にソナー等の接近物検出手段を設け、バックドアＥＣＵが、その検出結果から検出方向を特定し、特定した方向に照射光軸４が向くように後方照明部３を左右駆動するように構成してもよい。
【００５４】
また、後方照明部３が補助照明部６である場合に、該補助照明部６の上下駆動を、上記した上方照射角度位置（図２（ａ））、下方照射角度位置（図２（ｂ））、及び格納位置（図８（ｃ））の三位置に変更駆動可能に構成して、補助照明部６の点灯とともに該補助照明部６を格納位置から下方照射角度位置に駆動するように構成してもよい。
【００５５】
また、後方照明部３が補助照明部６である場合に、後退灯３Ｒ，３Ｌも補助照明部６と連動して上下左右駆動するように構成してもよい。
【００５６】
また、バックドアＥＣＵ１００とが通信線４００を介してナビゲーション装置３００に接続する構成とし、ナビゲーション装置の地図情報として駐車場位置情報を予め記憶しておき、ナビゲーション装置の位置検出手段（ＧＰＳ等）が車両の駐車場への進入を検知した場合に、当該車両における後方照明部３の照射光軸方向の変更駆動を許可するように構成することもできる。
【図面の簡単な説明】
【００５７】
【図１】本発明の車両後方照明装置を搭載した車両における後退灯の配置図。
【図２】本発明の一実施形態である車両後方照明装置の構成を示すブロック図。
【図３】本発明の後方照明部支持駆動機構の概略及びその駆動を説明する図。
【図４】本発明の第一実施形態における後方照明制御プログラムの処理の流れを示すフローチャート。
【図５】本発明の第二実施形態における後方照明制御プログラムの処理の流れを示すフローチャート。
【図６】本発明の第三実施形態における後方照明制御プログラムの処理の流れを示すフローチャート。
【図７】本発明の第四実施形態における後方照明制御プログラムの処理の流れを示すフローチャート。
【図８】本発明の車両後方照明装置を搭載した車両における補助照明部の配置図。
【図９】本発明の第五実施形態における後方照明制御プログラムの処理の流れを示すフローチャート。
【図１０】本発明の第六実施形態における後方照明制御プログラムの処理の流れを示すフローチャート。
【図１１】後方照明部に補助照明部を用いる場合の後方照明部支持駆動機構の駆動を説明する図。
【符号の説明】
【００５８】
１０  車両後方照明装置
２Ｒ，２Ｌ  ヘッドライト
３  後方照明部
３Ｒ，３Ｌ  後退灯
４  照射光軸
６  補助照明部
３０  後方照明部支持駆動機構
３２（３２１，３２２）  モータ
１００  バックドアＥＣＵ
２００  ボデーＥＣＵ
２１１  ヘッドライトスイッチ
２１２  シフトポジションセンサ
２１３  ハザードスイッチ
２１４  操舵角センサ
２４０  操舵ハンドル
【図１】
2008174025.tif 000003
【図２】
2008174025.tif 000004
【図３】
2008174025.tif 000005
【図４】
2008174025.tif 000006
【図５】
2008174025.tif 000007
【図６】
2008174025.tif 000008
【図７】
2008174025.tif 000009
【図８】
2008174025.tif 000010
【図９】
2008174025.tif 000011
【図１０】
2008174025.tif 000012
【図１１】
2008174025.tif 000013